(57)【要約】  【課題】回収時に機外リジェクト紙幣と機内リジェクト紙幣とが混ざり合うのを防止できる紙幣処理機を提供する。  【解決手段】機体11の後面側には、上部から下部に向けて、取忘れ紙幣収納部18、機内リジェクト紙幣収納部19、補充回収紙幣収納部20、機外リジェクト紙幣収納部21、入金専用金種紙幣スタッカ22、第１金種紙幣用スタッカ23を設ける。機体11の前面側には、上部域に顧客用操作口部17を設け、下部域に第２金種紙幣用スタッカ24を設ける。各収納部18〜21および各スタッカ22〜24の間に、正逆搬送可能な紙幣搬送路26を設ける。機内リジェクト紙幣としての出金リジェクト紙幣および回収リジェクト紙幣を機内リジェクト紙幣収納部19に収納する。機外リジェクト紙幣としての補充リジェクト紙幣を機外リジェクト紙幣収納部に収納する。  【選択図】図１
2007004639.tif 000002
【特許請求の範囲】
【請求項１】
機体の後面側には、上部から下部に向けて、機内リジェクト紙幣としての出金リジェクト紙幣および回収リジェクト紙幣を回収する機内リジェクト紙幣収納部、出金紙幣としての第１金種紙幣および第２金種紙幣を補充および回収する補充回収紙幣収納部、機外リジェクト紙幣としての補充リジェクト紙幣を回収する機外リジェクト紙幣収納部、第１金種紙幣の繰込みと繰出しが可能な第１金種紙幣用スタッカを設け、
機体の前面側には、上部域に出金紙幣の取出しが可能な出金口部機能を有する顧客用操作口部を設けるとともに、下部域に第２金種紙幣の繰込みと繰出しが可能な第２金種紙幣用スタッカを設け、
機内リジェクト紙幣収納部、補充回収紙幣収納部、機外リジェクト紙幣収納部および第１金種紙幣用スタッカの各前面側面と顧客用操作口部および第２金種紙幣用スタッカの各後面側面との間の前後空間域、および顧客用操作口部の下方で第２金種紙幣用スタッカの上方の上下空間域に、紙幣識別部が途中に配置されるとともに補充回収紙幣収納部、第１金種紙幣用スタッカおよび第２金種紙幣用スタッカを接続する紙幣補充回収搬送路、第１金種紙幣用スタッカおよび第２金種紙幣用スタッカから顧客用操作口部に至る出金搬送路を有し、補充回収紙幣収納部と出金搬送路との一部を共通搬送域とし、補充処理時には紙幣補充回収搬送路を一方向搬送し、回収処理時には紙幣補充回収搬送路を他方向搬送し、出金処理時には出金搬送路のうち紙幣補充回収搬送路との共通搬送域を回収処理時と同じく他方向搬送する紙幣搬送路を設け、
補充回収紙幣収納部から第１金種紙幣用スタッカおよび第２金種紙幣用スタッカヘの紙幣の補充処理、第１金種紙幣用スタッカおよび第２金種紙幣用スタッカから顧客用操作口部への紙幣の出金処理、第１金種紙幣用スタッカおよび第２金種紙幣用スタッカから補充回収紙幣収納部への紙幣の回収処理を制御する制御部を具備した
ことを特徴とする紙幣処理機。
【請求項２】
機体の後面側には、上部から下部に向けて、機内リジェクト紙幣としての出金リジェクト紙幣および回収リジェクト紙幣を回収する機内リジェクト紙幣収納部、出金紙幣としての第１金種紙幣および第２金種紙幣を補充および回収する補充回収紙幣収納部、機外リジェクト紙幣としての補充リジェクト紙幣を回収する機外リジェクト紙幣収納部、入金および出金する第１金種紙幣の繰込みと繰出しが可能な第１金種紙幣用スタッカを設け、
機体の前面側には、上部域に出金紙幣の取出しが可能な出金口部機能と入金紙幣の挿入が可能な入金口部機能を有する顧客用操作口部を設けるとともに、下部域に入金および出金する第２金種紙幣の繰込みと繰出しが可能な第２金種紙幣用スタッカを設け、
機内リジェクト紙幣収納部、補充回収紙幣収納部、機外リジェクト紙幣収納部、第１金種紙幣用スタッカの各前面側面と顧客用操作口部および第２金種紙幣用スタッカの各後面側面との間の前後空間域、および顧客用操作口部の下方で第２金種紙幣用スタッカの上方の上下空間域に、紙幣識別部が途中に配置されるとともに補充回収紙幣収納部、第１金種紙幣用スタッカ、第２金種紙幣用スタッカを接続する紙幣補充回収搬送路、第１金種紙幣用スタッカおよび第２金種紙幣用スタッカから顧客用操作口部に至る出金搬送路、顧客用操作口部から第１金種紙幣用スタッカおよび第２金種紙幣用スタッカに至る入金搬送路を有し、補充回収紙幣収納部と出金搬送路と入金搬送路との一部を共通搬送域とし、補充処理時には紙幣補充回収搬送路を一方向搬送し、回収処理時には紙幣補充回収搬送路を他方向搬送し、出金処理時には出金搬送路のうち紙幣補充回収搬送路との共通搬送域を回収処理時と同じく他方向搬送し、入金処理時には入金搬送路のうち紙幣補充回収搬送路との共通搬送域を補充処理時と同じく一方向搬送する紙幣搬送路を設け、
補充回収紙幣収納部から第１金種紙幣用スタッカおよび第２金種紙幣用スタッカヘの紙幣の補充処理、第１金種紙幣用スタッカおよび第２金種紙幣用スタッカから顧客用操作口部への紙幣の出金処理、顧客用操作口部から第１金種紙幣用スタッカ、第２金種紙幣用スタッカヘの入金処理、第１金種紙幣用スタッカおよび第２金種紙幣用スタッカから補充回収紙幣収納部への紙幣の回収処理を制御する制御部を具備した
ことを特徴とする紙幣処理機。
【請求項３】
機体の後面側には、上部から下部に向けて、機内リジェクト紙幣としての出金リジェクト紙幣および回収リジェクト紙幣を回収する機内リジェクト紙幣収納部、出金紙幣としての第１金種紙幣および第２金種紙幣を補充および回収する補充回収紙幣収納部、機外リジェクト紙幣としての補充リジェクト紙幣を回収する機外リジェクト紙幣収納部、入金および出金する第１金種紙幣の繰込みと繰出しが可能な第１金種紙幣用スタッカ、機外リジェクト紙幣収納部と第１金種紙幣用スタッカの間に出金に使用しない入金専用の金種紙幣を収納する入金専用金種紙幣スタッカを設け、
機体の前面側には、上部域に出金紙幣の取出しが可能な出金口部機能と入金紙幣の挿入が可能な入金口部機能を有する顧客用操作口部を設けるとともに、下部域に入金および出金する第２金種紙幣の繰込みと繰出しが可能な第２金種紙幣用スタッカを設け、
機内リジェクト紙幣収納部、補充回収紙幣収納部、機外リジェクト紙幣収納部、入金専用金種紙幣スタッカ、第１金種紙幣用スタッカの各前面側面と顧客用操作口部および第２金種紙幣用スタッカの各後面側面との間の前後空間域、および顧客用操作口部の下方で第２金種紙幣用スタッカの上方の上下空間域に、紙幣識別部が途中に配置されるとともに補充回収紙幣収納部、第１金種紙幣用スタッカ、第２金種紙幣用スタッカを接続する紙幣補充回収搬送路、第１金種紙幣用スタッカおよび第２金種紙幣用スタッカから顧客用操作口部に至る出金搬送路、顧客用操作口部から第１金種紙幣用スタッカ、第２金種紙幣用スタッカおよび入金専用金種紙幣スタッカに至る入金搬送路を有し、補充回収紙幣収納部と出金搬送路と入金搬送路との一部を共通搬送域とし、補充処理時には紙幣補充回収搬送路を一方向搬送し、回収処理時には紙幣補充回収搬送路を他方向搬送し、出金処理時には出金搬送路のうち紙幣補充回収搬送路との共通搬送域を回収処理時と同じく他方向搬送し、入金処理時には入金搬送路のうち紙幣補充回収搬送路との共通搬送域は補充処理時と同じく一方向搬送する紙幣搬送路を設け、
補充回収紙幣収納部から第１金種紙幣用スタッカおよび第２金種紙幣用スタッカヘの紙幣の補充処理、第１金種紙幣用スタッカおよび第２金種紙幣用スタッカから顧客用操作口部への紙幣の出金処理、顧客用操作口部から第１金種紙幣用スタッカ、第２金種紙幣用スタッカおよび入金専用金種紙幣スタッカヘの入金処理、第１金種紙幣用スタッカおよび第２金種紙幣用スタッカから補充回収紙幣収納部への紙幣の回収処理を制御する制御部を具備した
ことを特徴とする紙幣処理機。
【請求項４】
機体の後面側の機内リジェクト紙幣収納部の上部位置には取忘れ紙幣収納部を設けるとともに、紙幣搬送路には顧客用操作口部と取忘れ紙幣収納部を接続する取忘れ紙幣回収搬送部を設けた
ことを特徴とする請求項１ないし３いずれか記載の紙幣処理機。
【請求項５】
紙幣搬送路は、紙幣識別部が設けられるループ状搬送構造部と、このループ状搬送構造部からループ外へ延びる外方通路部群と、ループ状搬送構造部および各外方通路部の接続部に設けられる分岐手段とを有する
ことを特徴とする請求項１ないし４いずれか記載の紙幣処理機。
【請求項６】
紙幣搬送路のループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部とを設けた
ことを特徴とする請求項５記載の紙幣処理機。
【請求項７】
紙幣搬送路のループ状搬送構造部は、紙幣識別部の設置域ではローラ群で構成し、紙幣識別部の設置域以外ではループ方向および搬送幅方向に１本のベルトとピンチローラ群とで構成するとともに１本のベルトとピンチローラ群は紙幣識別部の設置域においてループ状搬送構造部の内側へ迂回して設けた
ことを特徴とする請求項５および６記載の紙幣処理機。
【請求項８】
紙幣搬送路は、ループ状搬送構造部と、このループ状搬送構造部からループ外へ延びる外方通路部群と、ループ状搬送構造部および各外方通路部の接続部に設けられる分岐手段と、ループ状搬送構造部に設けられる紙幣識別部とを有し、
ループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部と、下側後方搬送部の後端から上方へ上昇する上昇搬送部と、上昇搬送部の上端から前方へ延び前側傾斜搬送部の上端と接続される上側前方搬送部とで構成するとともに一方向搬送と他方向搬送を可能とし、
外方通路部群は、上側前方搬送部と補充回収紙幣収納部とを接続して補充回収紙幣収納部からループ状搬送構造部への紙幣の補充とループ状搬送構造部から補充回収紙幣収納部への紙幣の回収とをする紙幣補充回収通路部と、下側後方搬送部から分岐して下方へ延びるとともに途中で前後に分岐されて第１金種紙幣用スタッカおよび第２金種紙幣用スタッカに接続され第１金種紙幣用スタッカおよび第２金種紙幣用スタッカに対して紙幣の繰込み搬送と繰出し搬送とをする第１金種紙幣用通路部および第２金種紙幣用通路部と、上昇搬送部の途中で分岐されて後方へ向かい機外リジェクト紙幣収納部に接続される機外リジェクト紙幣通路部と、上側前方搬送部の後端域に接続されて上昇する上昇域とその上昇域上端から前方へ向かい出金紙幣の取出しが可能な出金口部機能を有する顧客用操作口部へ接続する前方搬送域とを備えて出金紙幣を送出する出金紙幣送出通路部と、出金紙幣送出通路部の上昇域途中で分岐され機内リジェクト紙幣収納部に接続される機内リジェクト紙幣通路部とを具備した
ことを特徴とする請求項１記載の紙幣処理機。
【請求項９】
紙幣搬送路は、ループ状搬送構造部と、このループ状搬送構造部からループ外へ延びる外方通路部群と、ループ状搬送構造部および各外方通路部の接続部に設けられる分岐手段と、ループ状搬送構造部に設けられる紙幣識別部とを有し、
ループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部と、下側後方搬送部の後端から上方へ上昇する上昇搬送部と、上昇搬送部の上端から前方へ延び前側傾斜搬送部の上端と接続される上側前方搬送部とで構成するとともに一方向搬送と他方向搬送を可能とし、
外方通路部群は、上側前方搬送部と補充回収紙幣収納部とを接続して補充回収紙幣収納部からループ状搬送構造部への紙幣の補充とループ状搬送構造部から補充回収紙幣収納部への紙幣の回収とをする紙幣補充回収通路部と、下側後方搬送部から分岐して下方へ延びるとともに途中で前後に分岐されて第１金種紙幣用スタッカおよび第２金種紙幣用スタッカに接続され第１金種紙幣用スタッカおよび第２金種紙幣用スタッカに対して紙幣の繰込み搬送と繰出し搬送とをする第１金種紙幣用通路部および第２金種紙幣用通路部と、上昇搬送部の途中で分岐されて後方へ向かい機外リジェクト紙幣収納部に接続される機外リジェクト紙幣通路部と、上側前方搬送部の後端域に接続されて上昇する上昇域とその上昇域上端から前方へ向かい出金紙幣の取出しが可能な出金口部機能を有する顧客用操作口部へ接続する前方搬送域とを備えて出金紙幣を送出する出金紙幣送出通路部と、出金紙幣送出通路部の上昇域途中で分岐され機内リジェクト紙幣収納部に接続される機内リジェクト紙幣通路部と、前側傾斜搬送部の上端部と入金紙幣の繰込みが可能な入金口部機能を有する顧客用操作口部とを接続する入金紙幣通路部とを具備した
ことを特徴とする請求項２記載の紙幣処理機。
【請求項１０】
紙幣搬送路は、ループ状搬送構造部と、このループ状搬送構造部からループ外へ延びる外方通路部群と、ループ状搬送構造部および各外方通路部の接続部に設けられる分岐手段と、ループ状搬送構造部に設けられる紙幣識別部とを有し、
ループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部と、下側後方搬送部の後端から上方へ上昇する上昇搬送部と、上昇搬送部の上端から前方へ延び前側傾斜搬送部の上端と接続される上側前方搬送部とで構成するとともに一方向搬送と他方向搬送を可能とし、
外方通路部群は、上側前方搬送部と補充回収紙幣収納部とを接続して補充回収紙幣収納部からループ状搬送構造部への紙幣の補充とループ状搬送構造部から補充回収紙幣収納部への紙幣の回収とをする紙幣補充回収通路部と、下側後方搬送部から分岐して下方へ延びるとともに途中で前後に分岐されて第１金種紙幣用スタッカおよび第２金種紙幣用スタッカに接続され第１金種紙幣用スタッカおよび第２金種紙幣用スタッカに対して紙幣の繰込み搬送と繰出し搬送とをする第１金種紙幣用通路部および第２金種紙幣用通路部と、上昇搬送部の途中で分岐されて後方へ向かい機外リジェクト紙幣収納部に接続される機外リジェクト紙幣通路部と、上側前方搬送部の後端域に接続されて上昇する上昇域とその上昇域上端から前方へ向かい出金紙幣の取出しが可能な出金口部機能を有する顧客用操作口部へ接続する前方搬送域とを備えて出金紙幣を送出する出金紙幣送出通路部と、出金紙幣送出通路部の上昇域途中で分岐され機内リジェクト紙幣収納部に接続される機内リジェクト紙幣通路部と、前側傾斜搬送部の上端部と入金紙幣の繰込みが可能な入金口部機能を有する顧客用操作口部とを接続する入金紙幣通路部と、上昇搬送部の途中で分岐されて後方へ向かい入金専用金種紙幣スタッカに接続される入金専用金種紙幣通路部とを具備した
ことを特徴とする請求項３記載の紙幣処理機。
【発明の詳細な説明】
【技術分野】
【０００１】
本発明は、機体の後面側からは係員が、機体の前面側からは顧客がそれぞれ操作可能な紙幣処理機に関する。
【背景技術】
【０００２】
従来の循環式紙幣入出金機では、機体の後面側に、上部から下部に向けて、補充回収部、第１の回収部、リジェクト紙幣回収部、第１のスタッカ部が設けられ、また、機体の前面側に、上部位置には顧客が出金紙幣の取出しをする顧客用操作口部としての出金口部が設けられ、下部位置には第２のスタッカ部が設けられている。また、補充処理、入金処理、出金処理、回収処理を可能とするため、必要に応じ各部を接続する紙幣搬送路が設けられている。この紙幣搬送路は、紙幣を一方向搬送する構成とされ、この一方向搬送通路の途上には紙幣の真偽、金種などを識別する識別部が設けられている（例えば、特許文献１参照。）。
【０００３】
そして、補充処理時には、補充回収部に補充収納された紙幣（出金金種としての千円紙幣および万円紙幣）を繰り出し、識別部を有する紙幣搬送路を通じて、正規の万円紙幣は第１のスタッカ部へ収納し、正規の千円紙幣は第２のスタッカ部へ収納する。また、正規の万円紙幣や千円紙幣と判断されない補充リジェクト紙幣は、リジェクト紙幣回収部の機外リジェクト紙幣回収域（揺動片で仕切られる下側空間）へ収納する。特に補充処理時において正規の万円紙幣や正規の千円紙幣と識別された紙幣は機内紙幣として区分されるのに対し、補充リジェクト紙幣は機内紙幣とはならず、機外紙幣であって特に機外リジェクト紙幣としてリジェクト紙幣回収部の機外リジェクト紙幣回収域（揺動片で仕切られる下側空間）に区分け収納する。
【０００４】
出金処理時には、出金に必要な第１のスタッカ部または第２のスタッカから、必要枚数の万円紙幣または千円紙幣を繰り出し、識別部を有する紙幣搬送路を通じて、正規の万円紙幣や正規の千円紙幣と判断された紙幣は出金口部へ出金する。また、正規の万円紙幣や千円紙幣と判断されない出金リジェクト紙幣は、リジェクト紙幣回収部の機内リジェクト紙幣回収域（揺動片で仕切られる上側空間）へ送る。特に、一旦、機内紙幣として区分された紙幣の出金時にリジェクト紙幣と判断されたもの故、出金リジェクト紙幣は機内リジェクト紙幣として機外リジェクト紙幣と区別する。
【０００５】
回収処理時は、まず、第１のスタッカ部の万円紙幣を繰り出し、識別部を有する紙幣搬送路を通じて、正規の万円紙幣は識別計数した後、回収専用の第１の回収部へ回収収納する。次に、第２のスタッカ部の千円紙幣を繰り出し、識別部を有する紙幣搬送路を通じて、正規の千円紙幣は識別計数した後、紙幣補充回収部へ回収収納する。また、正規の万円紙幣や正規の千円紙幣でない回収リジェクト紙幣も機内紙幣として区分された紙幣が回収時にリジェクト紙幣と判断されたもの故、機内リジェクト紙幣としてリジェクト紙幣回収部の機内リジェクト紙幣回収域（揺動片で仕切られる上側空間）へ回収収納する。このようにして、千円紙幣は機体の後面側の紙幣補充回収部から取り出せ、万円紙幣は機体の後面側の回収専用の第１の回収部から取り出せる。また、機内リジェクト紙幣は機体のリジェクト紙幣回収部の機内リジェクト紙幣回収域から、機外リジェクト紙幣は機体のリジェクト紙幣回収部の機外リジェクト紙幣回収域から取り出せる。
【０００６】
また、紙幣処理機として循環式紙幣入出金機に使用する場合で、万円紙幣および千円紙幣の出金処理とは別に出金には使えない入金専用の２千円紙幣や５千円紙幣の収納を可能と場合は、前述の構成のうえに、さらに次の構成が加わる。
【０００７】
すなわち、機体の後面側で、リジェクト紙幣回収部と第１のスタッカ部の間に２千円紙幣および５千円紙幣の入金専用紙幣収納用の第２の回収部が設けられる。また、機体の前面側上部域の顧客用操作口部は、出金紙幣の取出しが可能な出金口部機能に加え、顧客が入金紙幣の挿入を行う入金口部機能を有する。
【０００８】
そして、入金処理機能が加わり、入金処理時は、正規の千円紙幣、２千円紙幣、５千円紙幣、万円紙幣の入金が可能で、顧客用操作口部に装填された紙幣が繰り込まれ、識別部を有する紙幣搬送路を通じて、正規の万円紙幣は第１のスタッカ部へ、正規の千円紙幣は第２のスタッカ部へ、正規の２千円紙幣および５千円紙幣は第２の回収部へ、入金リジェクト紙幣は出金口部へ送る。
【０００９】
そして、補充処理時、出金処理時、回収処理時は、前述の紙幣処理機の動作と同じである。
【特許文献１】特開平１１−９６４４０号公報（第１１−１７頁、図１）
【発明の開示】
【発明が解決しようとする課題】
【００１０】
従来の紙幣処理機（紙幣の出金のみを行う紙幣出金機の場合、紙幣の出金と入金の両方を行う紙幣入出金機の場合、入金紙幣を出金紙幣に循環使用する循環式紙幣入出金機の場合のいずれの場合も含む）では、搬送通路が一方向搬送によって紙幣を各箇所に搬送する必要があるため、搬送通路の構造が複雑であり、また、搬送通路の搬送長さも長いものとなって搬送に時間がかかる問題がある。
【００１１】
また、万円紙幣回収専用の第１の回収部を設けなければならず、機体の高さが高いものとなる問題がある。
【００１２】
さらには、機外リジェクト紙幣（補充リジェクト紙幣）と機内リジェクト紙幣（出金リジェクト紙幣、回収リジェクト紙幣）は区分け収納されているとはいえ、共通のリジェクト紙幣回収部内に収納されており、係員によるリジェクト紙幣の回収時に、機外リジェクト紙幣（補充リジェクト紙幣）と機内リジェクト紙幣（出金リジェクト紙幣、回収リジェクト紙幣）とが混ざり合うことが生じやすいという問題がある。
【００１３】
本発明は、このような点に鑑みなされたもので、紙幣搬送路の構造を簡単にできるとともに紙幣搬送路の長さを短くして搬送時間を短くでき、機体の高さを低くして適切な高さに設定でき、回収時に機外リジェクト紙幣と機内リジェクト紙幣とが混ざり合うのを防止できる紙幣処理機を提供することを目的とする。
【課題を解決するための手段】
【００１４】
請求項１記載の紙幣処理機は、機体の後面側には、上部から下部に向けて、機内リジェクト紙幣としての出金リジェクト紙幣および回収リジェクト紙幣を回収する機内リジェクト紙幣収納部、出金紙幣としての第１金種紙幣および第２金種紙幣を補充および回収する補充回収紙幣収納部、機外リジェクト紙幣としての補充リジェクト紙幣を回収する機外リジェクト紙幣収納部、第１金種紙幣の繰込みと繰出しが可能な第１金種紙幣用スタッカを設け、機体の前面側には、上部域に出金紙幣の取出しが可能な出金口部機能を有する顧客用操作口部を設けるとともに、下部域に第２金種紙幣の繰込みと繰出しが可能な第２金種紙幣用スタッカを設け、機内リジェクト紙幣収納部、補充回収紙幣収納部、機外リジェクト紙幣収納部および第１金種紙幣用スタッカの各前面側面と顧客用操作口部および第２金種紙幣用スタッカの各後面側面との間の前後空間域、および顧客用操作口部の下方で第２金種紙幣用スタッカの上方の上下空間域に、紙幣識別部が途中に配置されるとともに補充回収紙幣収納部、第１金種紙幣用スタッカおよび第２金種紙幣用スタッカを接続する紙幣補充回収搬送路、第１金種紙幣用スタッカおよび第２金種紙幣用スタッカから顧客用操作口部に至る出金搬送路を有し、補充回収紙幣収納部と出金搬送路との一部を共通搬送域とし、補充処理時には紙幣補充回収搬送路を一方向搬送し、回収処理時には紙幣補充回収搬送路を他方向搬送し、出金処理時には出金搬送路のうち紙幣補充回収搬送路との共通搬送域を回収処理時と同じく他方向搬送する紙幣搬送路を設け、補充回収紙幣収納部から第１金種紙幣用スタッカおよび第２金種紙幣用スタッカヘの紙幣の補充処理、第１金種紙幣用スタッカおよび第２金種紙幣用スタッカから顧客用操作口部への紙幣の出金処理、第１金種紙幣用スタッカおよび第２金種紙幣用スタッカから補充回収紙幣収納部への紙幣の回収処理を制御する制御部を具備したものである。
【００１５】
請求項２記載の紙幣処理機は、機体の後面側には、上部から下部に向けて、機内リジェクト紙幣としての出金リジェクト紙幣および回収リジェクト紙幣を回収する機内リジェクト紙幣収納部、出金紙幣としての第１金種紙幣および第２金種紙幣を補充および回収する補充回収紙幣収納部、機外リジェクト紙幣としての補充リジェクト紙幣を回収する機外リジェクト紙幣収納部、入金および出金する第１金種紙幣の繰込みと繰出しが可能な第１金種紙幣用スタッカを設け、機体の前面側には、上部域に出金紙幣の取出しが可能な出金口部機能と入金紙幣の挿入が可能な入金口部機能を有する顧客用操作口部を設けるとともに、下部域に入金および出金する第２金種紙幣の繰込みと繰出しが可能な第２金種紙幣用スタッカを設け、機内リジェクト紙幣収納部、補充回収紙幣収納部、機外リジェクト紙幣収納部、第１金種紙幣用スタッカの各前面側面と顧客用操作口部および第２金種紙幣用スタッカの各後面側面との間の前後空間域、および顧客用操作口部の下方で第２金種紙幣用スタッカの上方の上下空間域に、紙幣識別部が途中に配置されるとともに補充回収紙幣収納部、第１金種紙幣用スタッカ、第２金種紙幣用スタッカを接続する紙幣補充回収搬送路、第１金種紙幣用スタッカおよび第２金種紙幣用スタッカから顧客用操作口部に至る出金搬送路、顧客用操作口部から第１金種紙幣用スタッカおよび第２金種紙幣用スタッカに至る入金搬送路を有し、補充回収紙幣収納部と出金搬送路と入金搬送路との一部を共通搬送域とし、補充処理時には紙幣補充回収搬送路を一方向搬送し、回収処理時には紙幣補充回収搬送路を他方向搬送し、出金処理時には出金搬送路のうち紙幣補充回収搬送路との共通搬送域を回収処理時と同じく他方向搬送し、入金処理時には入金搬送路のうち紙幣補充回収搬送路との共通搬送域を補充処理時と同じく一方向搬送する紙幣搬送路を設け、補充回収紙幣収納部から第１金種紙幣用スタッカおよび第２金種紙幣用スタッカヘの紙幣の補充処理、第１金種紙幣用スタッカおよび第２金種紙幣用スタッカから顧客用操作口部への紙幣の出金処理、顧客用操作口部から第１金種紙幣用スタッカ、第２金種紙幣用スタッカヘの入金処理、第１金種紙幣用スタッカおよび第２金種紙幣用スタッカから補充回収紙幣収納部への紙幣の回収処理を制御する制御部を具備したものである。
【００１６】
請求項３記載の紙幣処理機は、機体の後面側には、上部から下部に向けて、機内リジェクト紙幣としての出金リジェクト紙幣および回収リジェクト紙幣を回収する機内リジェクト紙幣収納部、出金紙幣としての第１金種紙幣および第２金種紙幣を補充および回収する補充回収紙幣収納部、機外リジェクト紙幣としての補充リジェクト紙幣を回収する機外リジェクト紙幣収納部、入金および出金する第１金種紙幣の繰込みと繰出しが可能な第１金種紙幣用スタッカ、機外リジェクト紙幣収納部と第１金種紙幣用スタッカの間に出金に使用しない入金専用の金種紙幣を収納する入金専用金種紙幣スタッカを設け、機体の前面側には、上部域に出金紙幣の取出しが可能な出金口部機能と入金紙幣の挿入が可能な入金口部機能を有する顧客用操作口部を設けるとともに、下部域に入金および出金する第２金種紙幣の繰込みと繰出しが可能な第２金種紙幣用スタッカを設け、機内リジェクト紙幣収納部、補充回収紙幣収納部、機外リジェクト紙幣収納部、入金専用金種紙幣スタッカ、第１金種紙幣用スタッカの各前面側面と顧客用操作口部および第２金種紙幣用スタッカの各後面側面との間の前後空間域、および顧客用操作口部の下方で第２金種紙幣用スタッカの上方の上下空間域に、紙幣識別部が途中に配置されるとともに補充回収紙幣収納部、第１金種紙幣用スタッカ、第２金種紙幣用スタッカを接続する紙幣補充回収搬送路、第１金種紙幣用スタッカおよび第２金種紙幣用スタッカから顧客用操作口部に至る出金搬送路、顧客用操作口部から第１金種紙幣用スタッカ、第２金種紙幣用スタッカおよび入金専用金種紙幣スタッカに至る入金搬送路を有し、補充回収紙幣収納部と出金搬送路と入金搬送路との一部を共通搬送域とし、補充処理時には紙幣補充回収搬送路を一方向搬送し、回収処理時には紙幣補充回収搬送路を他方向搬送し、出金処理時には出金搬送路のうち紙幣補充回収搬送路との共通搬送域を回収処理時と同じく他方向搬送し、入金処理時には入金搬送路のうち紙幣補充回収搬送路との共通搬送域は補充処理時と同じく一方向搬送する紙幣搬送路を設け、補充回収紙幣収納部から第１金種紙幣用スタッカおよび第２金種紙幣用スタッカヘの紙幣の補充処理、第１金種紙幣用スタッカおよび第２金種紙幣用スタッカから顧客用操作口部への紙幣の出金処理、顧客用操作口部から第１金種紙幣用スタッカ、第２金種紙幣用スタッカおよび入金専用金種紙幣スタッカヘの入金処理、第１金種紙幣用スタッカおよび第２金種紙幣用スタッカから補充回収紙幣収納部への紙幣の回収処理を制御する制御部を具備したものである。
【００１７】
請求項４記載の紙幣処理機は、請求項１ないし３いずれか記載の紙幣処理機において、機体の後面側の機内リジェクト紙幣収納部の上部位置には取忘れ紙幣収納部を設けるとともに、紙幣搬送路には顧客用操作口部と取忘れ紙幣収納部を接続する取忘れ紙幣回収搬送部を設けたものである。
【００１８】
請求項５記載の紙幣処理機は、請求項１ないし４いずれか記載の紙幣処理機において、紙幣搬送路は、紙幣識別部が設けられるループ状搬送構造部と、このループ状搬送構造部からループ外へ延びる外方通路部群と、ループ状搬送構造部および各外方通路部の接続部に設けられる分岐手段とを有するものである。
【００１９】
請求項６記載の紙幣処理機は、請求項５記載の紙幣処理機において、紙幣搬送路のループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部とを設けたものである。
【００２０】
請求項７記載の紙幣処理機は、請求項５または６記載の紙幣処理機において、紙幣搬送路のループ状搬送構造部は、紙幣識別部の設置域ではローラ群で構成し、紙幣識別部の設置域以外ではループ方向および搬送幅方向に１本のベルトとピンチローラ群とで構成するとともに１本のベルトとピンチローラ群は紙幣識別部の設置域においてループ状搬送構造部の内側へ迂回して設けたものである。
【００２１】
請求項８記載の紙幣処理機は、請求項１記載の紙幣処理機において、紙幣搬送路は、ループ状搬送構造部と、このループ状搬送構造部からループ外へ延びる外方通路部群と、ループ状搬送構造部および各外方通路部の接続部に設けられる分岐手段と、ループ状搬送構造部に設けられる紙幣識別部とを有し、ループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部と、下側後方搬送部の後端から上方へ上昇する上昇搬送部と、上昇搬送部の上端から前方へ延び前側傾斜搬送部の上端と接続される上側前方搬送部とで構成するとともに一方向搬送と他方向搬送を可能とし、外方通路部群は、上側前方搬送部と補充回収紙幣収納部とを接続して補充回収紙幣収納部からループ状搬送構造部への紙幣の補充とループ状搬送構造部から補充回収紙幣収納部への紙幣の回収とをする紙幣補充回収通路部と、下側後方搬送部から分岐して下方へ延びるとともに途中で前後に分岐されて第１金種紙幣用スタッカおよび第２金種紙幣用スタッカに接続され第１金種紙幣用スタッカおよび第２金種紙幣用スタッカに対して紙幣の繰込み搬送と繰出し搬送とをする第１金種紙幣用通路部および第２金種紙幣用通路部と、上昇搬送部の途中で分岐されて後方へ向かい機外リジェクト紙幣収納部に接続される機外リジェクト紙幣通路部と、上側前方搬送部の後端域に接続されて上昇する上昇域とその上昇域上端から前方へ向かい出金紙幣の取出しが可能な出金口部機能を有する顧客用操作口部へ接続する前方搬送域とを備えて出金紙幣を送出する出金紙幣送出通路部と、出金紙幣送出通路部の上昇域途中で分岐され機内リジェクト紙幣収納部に接続される機内リジェクト紙幣通路部とを具備したものである。
【００２２】
請求項９記載の紙幣処理機は、請求項２記載の紙幣処理機において、紙幣搬送路は、ループ状搬送構造部と、このループ状搬送構造部からループ外へ延びる外方通路部群と、ループ状搬送構造部および各外方通路部の接続部に設けられる分岐手段と、ループ状搬送構造部に設けられる紙幣識別部とを有し、ループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部と、下側後方搬送部の後端から上方へ上昇する上昇搬送部と、上昇搬送部の上端から前方へ延び前側傾斜搬送部の上端と接続される上側前方搬送部とで構成するとともに一方向搬送と他方向搬送を可能とし、外方通路部群は、上側前方搬送部と補充回収紙幣収納部とを接続して補充回収紙幣収納部からループ状搬送構造部への紙幣の補充とループ状搬送構造部から補充回収紙幣収納部への紙幣の回収とをする紙幣補充回収通路部と、下側後方搬送部から分岐して下方へ延びるとともに途中で前後に分岐されて第１金種紙幣用スタッカおよび第２金種紙幣用スタッカに接続され第１金種紙幣用スタッカおよび第２金種紙幣用スタッカに対して紙幣の繰込み搬送と繰出し搬送とをする第１金種紙幣用通路部および第２金種紙幣用通路部と、上昇搬送部の途中で分岐されて後方へ向かい機外リジェクト紙幣収納部に接続される機外リジェクト紙幣通路部と、上側前方搬送部の後端域に接続されて上昇する上昇域とその上昇域上端から前方へ向かい出金紙幣の取出しが可能な出金口部機能を有する顧客用操作口部へ接続する前方搬送域とを備えて出金紙幣を送出する出金紙幣送出通路部と、出金紙幣送出通路部の上昇域途中で分岐され機内リジェクト紙幣収納部に接続される機内リジェクト紙幣通路部と、前側傾斜搬送部の上端部と入金紙幣の繰込みが可能な入金口部機能を有する顧客用操作口部とを接続する入金紙幣通路部とを具備したものである。
【００２３】
請求項１０記載の紙幣処理機は、請求項３記載の紙幣処理機において、紙幣搬送路は、ループ状搬送構造部と、このループ状搬送構造部からループ外へ延びる外方通路部群と、ループ状搬送構造部および各外方通路部の接続部に設けられる分岐手段と、ループ状搬送構造部に設けられる紙幣識別部とを有し、ループ状搬送構造部は、機体の前方へ向けて下り傾斜してその途中に紙幣識別部が配置される前側傾斜搬送部と、前側傾斜搬送部の下端部に接続されるとともに後方へ延びる下側後方搬送部と、下側後方搬送部の後端から上方へ上昇する上昇搬送部と、上昇搬送部の上端から前方へ延び前側傾斜搬送部の上端と接続される上側前方搬送部とで構成するとともに一方向搬送と他方向搬送を可能とし、外方通路部群は、上側前方搬送部と補充回収紙幣収納部とを接続して補充回収紙幣収納部からループ状搬送構造部への紙幣の補充とループ状搬送構造部から補充回収紙幣収納部への紙幣の回収とをする紙幣補充回収通路部と、下側後方搬送部から分岐して下方へ延びるとともに途中で前後に分岐されて第１金種紙幣用スタッカおよび第２金種紙幣用スタッカに接続され第１金種紙幣用スタッカおよび第２金種紙幣用スタッカに対して紙幣の繰込み搬送と繰出し搬送とをする第１金種紙幣用通路部および第２金種紙幣用通路部と、上昇搬送部の途中で分岐されて後方へ向かい機外リジェクト紙幣収納部に接続される機外リジェクト紙幣通路部と、上側前方搬送部の後端域に接続されて上昇する上昇域とその上昇域上端から前方へ向かい出金紙幣の取出しが可能な出金口部機能を有する顧客用操作口部へ接続する前方搬送域とを備えて出金紙幣を送出する出金紙幣送出通路部と、出金紙幣送出通路部の上昇域途中で分岐され機内リジェクト紙幣収納部に接続される機内リジェクト紙幣通路部と、前側傾斜搬送部の上端部と入金紙幣の繰込みが可能な入金口部機能を有する顧客用操作口部とを接続する入金紙幣通路部と、上昇搬送部の途中で分岐されて後方へ向かい入金専用金種紙幣スタッカに接続される入金専用金種紙幣通路部とを具備したものである。
【発明の効果】
【００２４】
請求項１記載の紙幣処理機によれば、紙幣搬送路が正逆搬送可能で、紙幣搬送路の構造を簡単にできるとともに紙幣搬送路の長さを短くして搬送時間を短くでき、また、回収専用の回収部を設ける必要がなく、機体の高さを低くして適切な高さに設定でき、また、機内リジェクト紙幣収納部は補充回収紙幣収納部の上部に設けるとともに、機外リジェクト紙幣収納部は補充回収紙幣収納部の下部に設けることにより、回収時に機外リジェクト紙幣と機内リジェクト紙幣とが混ざり合うことがなく、回収作業性を向上できる。
【００２５】
請求項２記載の紙幣処理機によれば、紙幣搬送路が正逆搬送可能で、紙幣搬送路の構造を簡単にできるとともに紙幣搬送路の長さを短くして搬送時間を短くでき、また、回収専用の回収部を設ける必要がなく、機体の高さを低くして適切な高さに設定でき、また、機内リジェクト紙幣収納部は補充回収紙幣収納部の上部に設けるとともに、機外リジェクト紙幣収納部は補充回収紙幣収納部の下部に設けることにより、回収時に機外リジェクト紙幣と機内リジェクト紙幣とが混ざり合うことがなく、回収作業性を向上できる。しかも、紙幣の入金処理もでき、入金紙幣を出金紙幣に循環使用できるので、顧客にとっては入金処理と出金処理の両方ができる機械となって使い易さを向上でき、また、係員にとっては出金に使用する紙幣の補充の機会が少なくてすみ、係員の作業を軽減できる。
【００２６】
請求項３記載の紙幣処理機によれば、紙幣搬送路が正逆搬送可能で、紙幣搬送路の構造を簡単にできるとともに紙幣搬送路の長さを短くして搬送時間を短くでき、また、回収専用の回収部を設ける必要がなく、機体の高さを低くして適切な高さに設定でき、また、機内リジェクト紙幣収納部は補充回収紙幣収納部の上部に設けるとともに、機外リジェクト紙幣収納部は補充回収紙幣収納部の下部に設けることにより、回収時に機外リジェクト紙幣と機内リジェクト紙幣とが混ざり合うことがなく、回収作業性を向上できる。しかも、紙幣の入金処理もでき、入金紙幣を出金紙幣に循環使用できるので、顧客にとっては入金処理と出金処理の両方ができる機械となって使い易さを向上でき、また、係員にとっては出金に使用する紙幣の補充の機会が少なくてすみ、係員の作業を軽減できる。さらに、出金処理に使える紙幣が入金処理に使えるだけでなく、それ以外の金種紙幣の入金も可能とし、入金金種紙幣の種類を広げ、顧客にとっての機械の使い易さを向上できる。
【００２７】
請求項４記載の紙幣処理機によれば、請求項１ないし３いずれか記載の紙幣処理機の効果に加えて、顧客が顧客用操作口部から取忘れた取忘れ紙幣を取忘れ紙幣収納部に収納するので、顧客が紙幣の取忘れを申し出た場合に、顧客が取忘れた取忘れ紙幣を返却することができる。
【００２８】
請求項５記載の紙幣処理機によれば、請求項１ないし４いずれか記載の紙幣処理機の効果に加えて、紙幣搬送路に、紙幣識別部が設けられるループ状搬送構造部と、このループ状搬送構造部からループ外へ延びる外方通路部群と、ループ状搬送構造部および各外方通路部の接続部に設けられる分岐手段とを有する構成とするので、紙幣搬送路の構造を簡単にできる。
【００２９】
請求項６記載の紙幣処理機によれば、請求項５記載の紙幣処理機の効果に加えて、ループ状搬送構造部に、機体の前方へ向けて下り傾斜してその途中に紙幣識別部が配置される前側傾斜搬送部と、前側傾斜搬送部の下端部に接続されるとともに後方へ延びる下側後方搬送部とを設けたので、紙幣の識別および分岐の距離を長くとることができ、紙幣の識別および分岐を確実にできる。
【００３０】
請求項７記載の紙幣処理機によれば、請求項５または６記載の紙幣処理機の効果に加えて、ループ状搬送構造部は、紙幣識別部の設置域ではローラ群で構成し、紙幣識別部の設置域以外ではループ方向および搬送幅方向に１本のベルトとピンチローラ群とで構成するとともに１本のベルトとピンチローラ群は紙幣識別部の設置域においてループ状搬送構造部の内側へ迂回して設けたので、ループ状搬送構造部の構造を簡単にできる。
【００３１】
請求項８記載の紙幣処理機によれば、請求項１記載の紙幣処理機の効果に加えて、紙幣搬送路にループ状搬送構造部、外方通路部群および分岐手段を設け、ループ状搬送構造部には前側傾斜搬送部、下側後方搬送部、上昇搬送部および上側前方搬送部を設け、外方通路部群には各搬送部を設けたので、紙幣搬送路の構造を簡単にでき、また、紙幣の識別および分岐の距離を長くとり、紙幣の識別および分岐を確実にできる。
【００３２】
請求項９記載の紙幣処理機によれば、請求項２記載の紙幣処理機の効果に加えて、紙幣搬送路にループ状搬送構造部、外方通路部群および分岐手段を設け、ループ状搬送構造部には前側傾斜搬送部、下側後方搬送部、上昇搬送部および上側前方搬送部を設け、外方通路部群には各搬送部を設けたので、紙幣搬送路の構造を簡単にでき、また、紙幣の識別および分岐の距離を長くとり、紙幣の識別および分岐を確実にできる。
【００３３】
請求項１０記載の紙幣処理機によれば、請求項３記載の紙幣処理機の効果に加えて、紙幣搬送路にループ状搬送構造部、外方通路部群および分岐手段を設け、ループ状搬送構造部には前側傾斜搬送部、下側後方搬送部、上昇搬送部および上側前方搬送部を設け、外方通路部群には各搬送部を設けたので、紙幣搬送路の構造を簡単にでき、また、紙幣の識別および分岐の距離を長くとり、紙幣の識別および分岐を確実にできる。
【発明を実施するための最良の形態】
【００３４】
以下、本発明の一実施の形態を図面を参照して説明する。
【００３５】
図１および図２に第１の実施の形態を示す。
【００３６】
図１に、紙幣処理機としての循環式紙幣入出金機を示し、この循環式紙幣入出金機は、機体11を有し、この機体11の前面側（図１の左側）は顧客が入金紙幣の挿入と出金紙幣の取出しなどを操作する顧客用操作面12とされ、機体11の後面側（図１の右側）は係員が紙幣の補充や回収などを操作する係員用操作面13とされている。
【００３７】
機体11の前面側である顧客用操作面12側の上部域には、出金紙幣の取出しが可能な出金口部15と入金紙幣の挿入が可能な入金口部16とを有する顧客用操作口部17が配設されている。
【００３８】
機体11の後面側である係員用操作面13側には、上部から下部に向けて、顧客が出金口部15から取り忘れた取忘れ紙幣を収納するための取忘れ紙幣収納部18、機内リジェクト紙幣としての出金リジェクト紙幣および回収リジェクト紙幣を回収する機内リジェクト紙幣収納部19、補充紙幣または回収紙幣を収納するための補充回収紙幣収納部20、機外リジェクト紙幣としての補充リジェクト紙幣を回収する機外リジェクト紙幣収納部21、出金に使用しない入金専用の金種紙幣として二千円紙幣および五千円紙幣を収納する入金専用金種紙幣スタッカ22、出金用の第１金種紙幣として万円紙幣を収納するための第１金種紙幣用スタッカ23が配設されている。
【００３９】
機体11の前面側である顧客用操作面12側の下部域には、出金用の第２金種紙幣として千円紙幣を収納するための第２金種紙幣用スタッカ24が配設されている。
【００４０】
機体11の内部には、取忘れ紙幣収納部18、機内リジェクト紙幣収納部19、補充回収紙幣収納部20、機外リジェクト紙幣収納部21、入金専用金種紙幣スタッカ22、第１金種紙幣用スタッカ23の各前面側と顧客用操作口部17および第２金種紙幣用スタッカ24の各後面側との間の前後空間域、および顧客用操作口部17の下方で第２金種紙幣用スタッカ24の上方の上下空間域に、紙幣識別部25が途中に配置される正逆搬送可能な紙幣搬送路26が配設されている。
【００４１】
紙幣搬送路26は、補充回収紙幣収納部20、第１金種紙幣用スタッカ23、第２金種紙幣用スタッカ24を接続する紙幣補充回収搬送路26aと、第１金種紙幣用スタッカ23および第２金種紙幣用スタッカ24から出金口部15に至る出金搬送路26bと、入金口部16から第１金種紙幣用スタッカ23、第２金種紙幣用スタッカ24および入金専用金種紙幣スタッカ22に至る入金搬送路26cとを有し、紙幣補充回収搬送路26aと出金搬送路26bと入金搬送路26cとの一部を共通搬送域26dとしている。より具体的には、紙幣搬送路26は、紙幣を正逆搬送可能なループ状搬送構造部27と、このループ状搬送構造部27から上述した各構成へ向けてループ外へ延びる複数の外方通路部28群と、ループ状搬送構造部27と各外方通路部28との接続部に設けられる複数の分岐手段29とを有している。また、紙幣搬送路26には、出金口部15と取忘れ紙幣収納部18を接続する取忘れ紙幣回収搬送部30が設けられている。
【００４２】
ループ状搬送構造部27は、機体11の前方へ向けて下り傾斜してその途中に紙幣識別部25が配置される前側傾斜搬送部27aと、前側傾斜搬送部27aの下端部に接続されるとともに後方へ延びる下側後方搬送部27bと、下側後方搬送部27bの後端から上方へ上昇する上昇搬送部27cと、上昇搬送部27cの上端から前方へ延び前側傾斜搬送部27aの上端と接続される上側前方搬送部27dとで構成されている。そして、ループ状搬送構造部27は、前側傾斜搬送部27a、下側後方搬送部27b、上昇搬送部27c、上側前方搬送部27dの順の一方向搬送を正方向搬送とし、この正方向搬送と逆方向である前側傾斜搬送部27a、上側前方搬送部27d、上昇搬送部27c、下側後方搬送部27bの順の他方向搬送を逆方向搬送としている。
【００４３】
ループ状搬送構造部27は、紙幣識別部25の設置域では紙幣識別部25で識別するために紙幣を挟持しながら搬送するローラ31群で構成され、紙幣識別部25の設置域以外ではループ方向および搬送幅方向に１本のベルト32と複数のピンチローラ33群とで構成されている。１本のベルト32とピンチローラ33群は、紙幣識別部25の設置域において、ループ状搬送構造部27の内側へ迂回して設けられている。
【００４４】
外方通路部28群は、上側前方搬送部27dと補充回収紙幣収納部20とを接続して補充回収紙幣収納部20からループ状搬送構造部27への紙幣の補充とループ状搬送構造部27から補充回収紙幣収納部20への紙幣の回収とをする紙幣補充回収通路部28aと、下側後方搬送部27bから分岐して下方へ延びるとともに途中で後側および前側に分岐されて第１金種紙幣用スタッカ23および第２金種紙幣用スタッカ24に接続され第１金種紙幣用スタッカ23および第２金種紙幣用スタッカ24に対して紙幣の繰込み搬送と繰出し搬送とをする第１金種紙幣用通路部28bおよび第２金種紙幣用通路部28cと、上昇搬送部27cの途中で分岐されて後方へ向かい機外リジェクト紙幣収納部21に接続される機外リジェクト紙幣通路部28dと、上側前方搬送部27dの後端域に接続されて上昇する上昇域28e1とその上昇域28e1上端から前方へ向かい出金口部15へ接続する前方搬送域28e2とを備えて出金紙幣を送出する出金紙幣送出通路部28eと、出金紙幣送出通路部28eの上昇域28e1途中で分岐され機内リジェクト紙幣収納部19に接続される機内リジェクト紙幣通路部28fと、上昇搬送部27cの途中で分岐されて後方へ向かい入金専用金種紙幣スタッカ22に接続される入金専用金種紙幣通路部28gと、前側傾斜搬送部27aの上端部と入金口部16とを接続する入金紙幣通路部28hとで構成されている。なお、紙幣補充回収通路部28a、出金紙幣送出通路部28eおよび機内リジェクト紙幣通路部28fは、共通通路部分を介してループ状搬送構造部27に接続されている。
【００４５】
分岐手段29群は、ループ状搬送構造部27と紙幣補充回収通路部28aとの接続部に設けられる第１の分岐手段29a、ループ状搬送構造部27と第１金種紙幣用通路部28bおよび第２金種紙幣用通路部28cとの接続部に設けられる第２の分岐手段29b、第１金種紙幣用通路部28bと第２金種紙幣用通路部28cとの接続部に設けられる第３の分岐手段29c、ループ状搬送構造部27と機外リジェクト紙幣通路部28dとの接続部に設けられる第４の分岐手段29d、出金紙幣送出通路部28eと取忘れ紙幣回収搬送部30との接続部に設けられる第５の分岐手段29e、ループ状搬送構造部27と機内リジェクト紙幣通路部28fとの接続部に設けられる第６の分岐手段29f、ループ状搬送構造部27と入金専用金種紙幣通路部28gとの接続部に設けられる第７の分岐手段29g、ループ状搬送構造部27と入金紙幣通路部28hとの接続部に設けられる第８の分岐手段29hを有している。また、ループ状搬送構造部27と、紙幣補充回収通路部28a、出金紙幣送出通路部28eおよび機内リジェクト紙幣通路部28fの共通通路部分との接続部には第９の分岐手段29iが設けられている。
【００４６】
そして、紙幣搬送路26は、出金紙幣送出通路部28eと取忘れ紙幣回収搬送部30以外の各搬送路および各通路部が搬送用モータM1（図２参照）で正逆回転駆動され、出金紙幣送出通路部28eと取忘れ紙幣回収搬送部30がモータM2（図２参照）で正逆回転駆動される。また、各分岐手段29a〜29iが分岐用モータM3-1〜M3-9で切換駆動される。
【００４７】
次に、顧客用操作口部17の出金口部15は、機体11の顧客用操作面12に開口された出金口35、およびこの出金口35の奥側に配設された出金紙幣一時保留部36を有している。
【００４８】
出金口35には、図示しないソレノイドにより開閉するシャッタ37が設けられている。
【００４９】
出金紙幣一時保留部36は、上下動可能に配置された支持板38、この支持板38の上方に配置されたベルト39、出金紙幣送出通路部28eから送り込まれる紙幣を出金紙幣一時保留部36内に１枚ずつ取り込む羽根車40、出金紙幣一時保留部36内に取り込む紙幣の幅方向両側を上方へ湾曲させて直進性を与える両側ガイド41、出金紙幣一時保留部36内に取り込む紙幣の先端を支持板38上に導く先端ガイド42を有している。支持板38は出金口部支持板上下モータM6（図２参照）を用いた図示しない昇降機構により上下移動される。ベルト39は取り忘れ紙幣収納部18まで延設されており、ベルト39および羽根車40は搬送用モータM2によって正逆回転駆動される。両側ガイド41および先端ガイド42は図示しない駆動部によって上下に移動し、紙幣の取り込み時には下降し、紙幣の取り込み時以外にはベルト39より上方に退避する。
【００５０】
そして、出金口部15では、出金紙幣送出通路部28eから送り込まれる出金紙幣を下降状態にある支持板38上に集積し、全ての出金紙幣が送り込まれた後、支持板38を上昇させて出金紙幣をベルト39に押し当て、ベルト39の回動（正転）により出金紙幣を一括搬送して出金口35へその先端一部が手で掴める程度突出させるように繰り出す。また、顧客が出金口35に送り出された出金紙幣を取り忘れた場合に、ベルト39の逆転により取忘れ紙幣を取忘れ紙幣収納部18へ送り込む。
【００５１】
また、顧客用操作口部17の入金口部16は、機体11の顧客用操作面12に開口された入金口44、およびこの入金口44の内側に配設されて入金紙幣を一括して取り込むとともに入金紙幣通路部28hに対して１枚ずつ繰り込む入金紙幣繰込部45を有している。
【００５２】
入金口44は、図示しないソレノイドにより上下動するシャッタ46により開閉される。
【００５３】
入金紙幣繰込部45は、入金口44に一括挿入された入金紙幣の下面を支持する支持板47、この支持板47の上方に対向するベルト48、このベルト48の入金紙幣通路部28h側の端部側に対向しベルト48に対して逆転するゲートローラ49およびベルト48との間に入金紙幣を挟み込んで入金紙幣通路部28hへ向けて搬送する繰込ローラ50がそれぞれ配設されている。
【００５４】
支持板47は、入金口部支持板上下モータM8（図２参照）を用いた図示しない昇降機構により上下移動し、ベルト48、ゲートローラ49および繰込ローラ50は入金口部繰込モータM7（図２参照）によって回転駆動される。
【００５５】
そして、入金口部16では、入金口44に挿入された入金紙幣を下降状態にある支持板47上に取り込んだ後、支持板47を上昇させて入金紙幣をベルト48に押し当て、ベルト48の回転とゲートローラ49の逆転とによって入金紙幣を１枚ずつに分離し、１枚分離した入金紙幣をベルト48と繰込ローラ50との間に挟み込んで入金紙幣通路部28hに繰り込む。
【００５６】
次に、取忘れ紙幣収納部18は、顧客が入金口部16に取り忘れた取忘れ紙幣を取忘れ紙幣回収搬送部30を通じて収納する。機体11の係員用操作面13に対応した取忘れ紙幣収納部18の後面には、取忘れ紙幣収納部18の後面を開閉する図示しない扉体が開閉可能に設けられており、この扉体を開けて取忘れ紙幣を取出可能としている。
【００５７】
次に、機内リジェクト紙幣収納部19は、出金時や回収時に紙幣識別部25でリジェクト紙幣と識別された機内リジェクト紙幣を収納する。
【００５８】
機内リジェクト紙幣収納部19は、機内リジェクト紙幣通路部28fから送り込まれる機内リジェクト紙幣を機内リジェクト紙幣収納部19内に１枚ずつ取り込む羽根車55、取り込まれる機内リジェクト紙幣を機内リジェクト紙幣収納部19の底部に導いて集積させる集積ガイド56を有している。
【００５９】
機体11の係員用操作面13に対応した機内リジェクト紙幣収納部19の後面には、機内リジェクト紙幣収納部19の後面を開閉する図示しない扉体が開閉可能に設けられており、この扉体を開けて機内リジェクト紙幣を取出可能としている。
【００６０】
次に、補充回収紙幣収納部20は、補充処理時に、出金に利用する第１金種紙幣である万円紙幣と第２金種紙幣である千円紙幣を所定枚数ずつ集積収納して１枚ずつ繰り出し、第１金種紙幣用スタッカ23および第２金種紙幣用スタッカ24へ各紙幣を補充し、また、回収処理時に、万円紙幣および千円紙幣を回収する。
【００６１】
補充回収紙幣収納部20は、紙幣を収納するボックス66、このボックス66内を上下方向に移動する支持板67、この支持板67の上方に対向するベルト68、このベルト68の紙幣補充回収通路部28a側の端部側に対向するゲートローラ69およびベルト68との間に紙幣を挟み込んで搬送するローラ70がそれぞれ配設されている。支持板67は支持板上下モータM4-4（図２参照）を用いた図示しない昇降機構により上下移動し、ベルト68、ゲートローラ69およびローラ70は図示しないモータによって回転駆動される。ゲートローラ69は、ワンウェイクラッチを備え、このワンウェイクラッチの働きにより、紙幣補充回収通路部28aへの紙幣の繰出時にベルト68に対して逆転して紙幣を１枚分離し、紙幣補充回収通路部28aからの紙幣の繰込時に回転せずに紙幣の繰込みを可能としている。
【００６２】
そして、補充処理時には、支持板67を上昇させて補充紙幣をベルト68に押し当て、ベルト68の繰出回転とゲートローラ69の逆転とによって補充紙幣を１枚ずつに分離し、１枚分離した補充紙幣をベルト68とローラ70との間に挟み込んで紙幣補充回収通路部28aから繰り出す。回収処理時には、ベルト68が繰出回転とは反対方向に繰込回転し、紙幣補充回収通路部28aへ送り込まれる回収紙幣をローラ70との間に挟み込んで補充回収紙幣収納部20内に繰り込んで収納する。
【００６３】
機体11の係員用操作面13に対応した補充回収紙幣収納部20の後面には、機外リジェクト紙幣収納部21の後面を開閉する図示しない扉体が開閉可能に設けられており、この扉体を開けて補充回収紙幣収納部20への補充紙幣の装填および回収紙幣の取出を可能としている。
【００６４】
次に、機外リジェクト紙幣収納部21は、補充時に紙幣識別部25でリジェクト紙幣と識別された機外リジェクト紙幣を出金時および回収時の機内リジェクト紙幣とを区分けして収納する。
【００６５】
機外リジェクト紙幣収納部21の構造は、上述した機内リジェクト紙幣収納部19の構造と同じであり、同一符号を用いてその説明を省略する。
【００６６】
機体11の係員用操作面13に対応した機外リジェクト紙幣収納部21の後面には、機外リジェクト紙幣収納部21の後面を開閉する図示しない扉体が開閉可能に設けられており、この扉体を開けて機外リジェクト紙幣を取出可能としている。
【００６７】
次に、入金専用金種紙幣スタッカ22は、出金に使用しない入金専用の金種紙幣として二千円紙幣および五千円紙幣を収納する。
【００６８】
入金専用金種紙幣スタッカ22は、紙幣を収納するボックス75、このボックス75内を上下方向に移動する支持板76、この支持板76の上方に上下方向に移動する一時保留板77、入金専用金種紙幣通路部28gから送り込まれる紙幣を入金専用金種紙幣スタッカ22内に１枚ずつ取り込む羽根車78、入金専用金種紙幣スタッカ22内に取り込む紙幣の幅方向両側を上方へ湾曲させて直進性を与える両側ガイド79、入金専用金種紙幣スタッカ22内に取り込む紙幣の先端を支持板76上に導く先端ガイド80を有している。支持板76は支持板上下モータM4-3（図２参照）を用いた図示しない昇降機構により上下移動される。一時保留板77は一時保留板上下モータM5-3（図２参照）を用いた図示しない昇降機構により上下移動される。両側ガイド41および先端ガイド42は図示しない駆動部により上下動する。
【００６９】
そして、入金専用金種紙幣スタッカ22では、入金専用金種紙幣通路部28gから送り込まれる紙幣を羽根車78で１枚ずつ取り込んでボックス75内の一時保留板77上に一時保留収納し、収納する紙幣の一時保留完了後の収納指示時に、一時保留板77を一時保留紙幣より上方域に上昇させることにより、一時保留紙幣を支持板76上の収納済み紙幣に合体して収納する。
【００７０】
機体11の係員用操作面13に対応した入金専用金種紙幣スタッカ22の後面には、入金専用金種紙幣スタッカ22の後面を開閉する図示しない扉体が開閉可能に設けられており、この扉体を開けて入金専用金種紙幣スタッカ22から紙幣を取出可能としている。
【００７１】
次に、第１金種紙幣用スタッカ23および第２金種紙幣用スタッカ24は同一構造に形成されており、第１金種紙幣用スタッカ23は、第１金種紙幣の万円紙幣を集積収納するとともに１枚ずつ繰り出し可能としており、また、第２金種紙幣用スタッカ24は、第２金種紙幣の千円紙幣を集積収納するとともに１枚ずつ繰り出し可能としている。
【００７２】
各スタッカ23，24は、紙幣を収納するボックス85，85、このボックス85，85内を上下方向に移動する支持板86，86、この支持板86，86の上方に対向するベルト87，87、支持板86，86の上方に対向するとともにベルト87，87とは干渉しない位置で上下方向に移動する一時保留板88，88、ベルト87，87の第１金種紙幣用通路部28bおよび第２金種紙幣用通路部28c側の端部側に対向するゲートローラ89，89およびベルト87，87との間に紙幣を挟み込んで搬送するローラ90，90がそれぞれ配設されている。支持板86，86は支持板上下モータM4-1，M4-2（図２参照）を用いた図示しない昇降機構により上下移動し、一時保留板88，88は一時保留板上下モータM5-1，M5-2（図２参照）を用いた図示しない昇降機構により上下移動し、ベルト87，87、ゲートローラ89，89およびローラ90，90は図示しないモータによって回転駆動される。ゲートローラ89，89は、ワンウェイクラッチを備え、このワンウェイクラッチの働きにより、各スタッカ23，24からの紙幣の繰出時にベルト87，87に対して逆転して紙幣を１枚分離し、各スタッカ23，24への紙幣の繰込時に回転せずに紙幣の繰込みを可能としている。
【００７３】
そして、紙幣の繰出時には、支持板86，86を上昇させて紙幣をベルト87，87に押し当て、ベルト87，87の繰出回転とゲートローラ89，89の逆転とによって紙幣を１枚ずつに分離し、１枚分離した紙幣をベルト87，87とローラ90，90との間に挟み込んで各通路部28b，28cに繰り出す。また、紙幣の収納時には、ベルト87，87が繰出回転とは反対方向に繰込回転し、各通路部28b，28cから送り込まれる紙幣をローラ90，90との間に挟み込んでボックス85，85内の一時保留板88，88上に繰り込んで一時保留収納し、収納する紙幣の一時保留完了後の収納指示時に、一時保留板88，88を上昇させることにより、一時保留紙幣はベルト87，87に当接して上昇が止まるが、ベルト87，87とは干渉しない位置にある一時保留板88，88は上昇を継続して逃げるため、ベルト87，87で上昇が止められていた一時保留紙幣は支持板86，86上の収納済み紙幣に合体して収納される。
【００７４】
次に、図２には、循環式紙幣入出金機による紙幣の補充処理、入金処理、出金処理、回収処理を制御する制御部101を示す。この制御部101には、機体11の顧客用操作面12に設けられ、入金、出金の各処理モードや出金額などを入力する顧客操作入力部102と、機体11の係員用操作面13に設けられ、補充処理や回収処理などを入力指令する係員操作入力部103と、機体11の係員用操作面13に設けられた係員表示部104と、出金口部15、入金口部16、各収納部18〜21、各スタッカ22，23，24で紙幣を検知する収納部用センサ群105と、紙幣搬送路26のループ状搬送構造部27や各外方通路部28で紙幣を検知する紙幣搬送路用センサ群106と、各モータM1〜M8とが接続され、さらに、上位機107と通信可能に接続されている。
【００７５】
次に、本実施の形態の循環式紙幣入出金機の作用を説明する。
【００７６】
まず、補充処理について説明する。この補充処理は、機体11内に紙幣が収納されていない初期補充処理と、機内に収納されている紙幣が少なくなった場合などの途中補充処理とがあるが、いずれの場合にも同様に処理する。
【００７７】
補充回収紙幣収納部20に出金に利用する万円紙幣および千円紙幣を所定枚数ずつ装填し、係員操作入力部103で補充処理を指令することにより、補充処理を開始する。
【００７８】
補充処理では、補充回収紙幣収納部20から補充紙幣を紙幣搬送路26の紙幣補充回収通路部28aに１枚ずつ繰り出し、この補充紙幣を、紙幣補充回収通路部28a、第１の分岐手段29aおよび第９の分岐手段29iを経てループ状搬送構造部27に合流させ、ループ状搬送構造部27で図１反時計回方向である正方向に搬送する。
【００７９】
ループ状搬送構造部27を正方向に搬送する補充紙幣を紙幣識別部25で識別し、識別の結果、正規の万円紙幣は第２の分岐手段29bおよび第３の分岐手段29cで第１金種紙幣用通路部28bに分岐して第１金種紙幣用スタッカ23に収納し、正規の千円紙幣は第２の分岐手段29bおよび第３の分岐手段29cで第２金種紙幣用通路部28cに分岐して第２金種紙幣用スタッカ24に収納し、また、識別不能な補充リジェクト紙幣すなわち機外リジェクト紙幣は第４の分岐手段29dで機外リジェクト紙幣通路部28dに分岐して機外リジェクト紙幣収納部21に収納する。
【００８０】
次に、入金処理について説明する。
【００８１】
顧客が顧客操作入力部102で入金処理モードを指定することにより、入金口44のシャッタ46を開く。顧客が入金紙幣を入金口部16に挿入し、それを検知することにより、入金紙幣を入金口部16内に取り込み、シャッタ46を閉じる。
【００８２】
入金口部16に取り込んだ入金紙幣を入金紙幣通路部28hに１枚ずつ繰り出し、この入金紙幣を、入金紙幣通路部28h、第８の分岐手段29hを経てループ状搬送構造部27に合流させ、ループ状搬送構造部27で図１反時計回方向である正方向に搬送する。
【００８３】
ループ状搬送構造部27を正方向に搬送する入金紙幣を紙幣識別部25で識別し、識別の結果、正規の二千円紙幣および五千円紙幣は第７の分岐手段29gで入金専用金種紙幣通路部28gに分岐して入金専用金種紙幣スタッカ22に収納し、正規の万円紙幣は第２の分岐手段29bおよび第３の分岐手段29cで第１金種紙幣用通路部28bに分岐して第１金種紙幣用スタッカ23に収納し、正規の千円紙幣は第２の分岐手段29bおよび第３の分岐手段29cで第２金種紙幣用通路部28cに分岐して第２金種紙幣用スタッカ24に収納する。このとき、各スタッカ22，23，24内には支持板76，86，86上に集積されている収納済み紙幣上に一時保留板77，88，88が位置しており、各スタッカ22，23，24に送り込まれた入金紙幣は一時保留板77，88，88上に集積して一時保留する。
【００８４】
識別の結果、識別不能な入金リジェクト紙幣は、第９の分岐手段29iでループ状搬送構造部27から出金紙幣送出通路部28eに分岐し、出金紙幣送出通路部28eおよび第５の分岐手段29eを経て出金口部15の出金紙幣一時保留部36に収納する。
【００８５】
入金口部16から全ての入金紙幣を繰り出し、識別して対応する収納場所へ収納した後、顧客用操作面12に設置されている表示部で識別結果を表示し、顧客に入金承認か入金キャンセルかを確認する。
【００８６】
そして、顧客操作入力部102で入金承認を指令した場合、入金収納処理を開始する。この入金収納処理では、各スタッカ22，23，24において、一時保留板77，88，88を上昇させることにより、一時保留紙幣を支持板76，86，86上の収納済み紙幣に合体させて収納する。
【００８７】
入金リジェクト紙幣が識別されていなかった場合にはこれで入金処理を終了し、一方、入金リジェクト紙幣が識別されて出金口部15の出金紙幣一時保留部36に収納されている場合には、出金口35のシャッタ37を開き、出金紙幣一時保留部36から入金リジェクト紙幣を出金口35に繰り出して顧客により取出可能とする。顧客が入金リジェクト紙幣を取り出したことを検知すれば、シャッタ37を閉じ、入金処理を終了する。
【００８８】
また、顧客が入金リジェクト紙幣を所定時間以内に取り出さないときは取忘れ紙幣として取忘れ紙幣回収搬送部30および第５の分岐手段29eを経て取忘れ紙幣収納部18へ回収し、入金処理を終了する。
【００８９】
また、顧客が顧客操作入力部102で入金キャンセルを指令した場合、入金返却処理を開始する。この入金返却処理では、正規と識別されて各スタッカ22，23，24に収納した合計金額分を千円紙幣と万円紙幣との組合せで返却するもので、仮に二千円紙幣および五千円紙幣が入金されていてもこれらは返却せず千円紙幣と万円紙幣との組合せで返却する。
【００９０】
各スタッカ22，23，24では、一時保留板77，88，88を上昇させて一時保留紙幣を支持板76，86，86上の収納済み紙幣に合体する。
【００９１】
その後、まず、例えば、第１金種紙幣用スタッカ23から入金返却に必要な枚数分の入金返却万円紙幣を第１金種紙幣用通路部28bに１枚ずつ繰り出し、この入金返却万円紙幣を、第１金種紙幣用通路部28b、第３の分岐手段29cおよび第２の分岐手段29bを経てループ状搬送構造部27に合流させ、ループ状搬送構造部27で図１時計回方向である逆方向に搬送する。
【００９２】
ループ状搬送構造部27を逆方向に搬送する入金返却万円紙幣を紙幣識別部25で識別し、識別の結果、正規の入金返却万円紙幣は、第９の分岐手段29iでループ状搬送構造部27から出金紙幣送出通路部28eに分岐し、出金紙幣送出通路部28eおよび第５の分岐手段29eを経て出金口部15の出金紙幣一時保留部36に収納する。
【００９３】
この第１金種紙幣用スタッカ23からの入金返却万円紙幣の繰り出し完了後、第２金種紙幣用スタッカ24から入金返却に必要な枚数分の入金返却千円紙幣を第２金種紙幣用通路部28cに１枚ずつ繰り出し、この入金返却千円紙幣を、第２金種紙幣用通路部28c、第３の分岐手段29cおよび第２の分岐手段29bを経てループ状搬送構造部27に合流させ、ループ状搬送構造部27で図１時計回方向である逆方向に搬送する。
【００９４】
ループ状搬送構造部27を逆方向に搬送する入金返却千円紙幣を紙幣識別部25で識別し、識別の結果、正規の入金返却千円紙幣は、第９の分岐手段29iでループ状搬送構造部27から出金紙幣送出通路部28eに分岐し、出金紙幣送出通路部28eおよび第５の分岐手段29eを経て出金口部15の出金紙幣一時保留部36に収納する。
【００９５】
また、識別の結果、識別不能な出金リジェクト紙幣すなわち機内リジェクト紙幣は、第６の分岐手段29fで機内リジェクト紙幣通路部28fに分岐し、この機内リジェクト紙幣通路部28fを経て機内リジェクト紙幣収納部19に収納する。１枚のリジェクト紙幣が識別される毎に、その分の紙幣を追加して繰り出し、出金に必要な枚数分の紙幣を出金口部15の出金紙幣一時保留部36に収納する。
【００９６】
入金返却に必要な入金返却紙幣を出金口部15の出金紙幣一時保留部36に収納したら、出金口35のシャッタ37を開き、出金紙幣一時保留部36から入金返却紙幣を出金口35に繰り出して顧客により取出可能とする。顧客が入金返却紙幣を取り出したことを検知すれば、シャッタ37を閉じ、入金返却処理を終了する。
【００９７】
また、出金口35に入金リジェクト紙幣または入金返却紙幣を繰り出した際には、それら紙幣が顧客により取り出されたか否かを監視し、所定時間経過してもそれら紙幣が取り出されない場合には取忘れ紙幣として取忘れ紙幣回収処理をする。この取忘れ紙幣回収処理では、出金口35の取忘れ紙幣を出金口部15内に取り込み、シャッタ37を閉じる。出金口部15に取り込んだ取忘れ紙幣を取忘れ紙幣回収搬送部30および第５の分岐手段29eを経て取忘れ紙幣収納部18へ回収する。
【００９８】
そして、顧客が紙幣の取忘れを申し出た場合に、取忘れ紙幣収納部18に収納されている取忘れ紙幣を取り出して返却することができる。
【００９９】
次に、出金処理について説明する。
【０１００】
顧客が顧客操作入力部102で出金処理モードを指定し、出金金額を入力することにより、出金処理を開始する。
【０１０１】
出金は、千円紙幣と万円紙幣との組合せで出金するもので、出金金額分に必要な千円紙幣および万円紙幣毎の枚数を求める。
【０１０２】
まず、第１金種紙幣用スタッカ23から出金に必要な枚数分の出金万円紙幣を第１金種紙幣用通路部28bに１枚ずつ繰り出し、この出金万円紙幣を、第１金種紙幣用通路部28b、第３の分岐手段29cおよび第２の分岐手段29bを経てループ状搬送構造部27に合流させ、ループ状搬送構造部27で図１時計回方向である逆方向に搬送する。
【０１０３】
ループ状搬送構造部27を逆搬送方向に搬送する出金万円紙幣を紙幣識別部25で識別し、識別の結果、正規の出金万円紙幣は、第９の分岐手段29iでループ状搬送構造部27から出金紙幣送出通路部28eに分岐し、出金紙幣送出通路部28eおよび第５の分岐手段29eを経て出金口部15の出金紙幣一時保留部36に収納する。また、識別の結果、識別不能な出金リジェクト紙幣すなわち機内リジェクト紙幣は、第６の分岐手段29fで機内リジェクト紙幣通路部28fに分岐し、この機内リジェクト紙幣通路部28fを経て機内リジェクト紙幣収納部19に収納する。１枚の出金リジェクト紙幣が識別される毎に、その分の出金万円紙幣を第１金種紙幣用スタッカ23から追加して繰り出し、出金に必要な枚数分の出金万円紙幣を出金口部15の出金紙幣一時保留部36に収納する。
【０１０４】
この第１金種紙幣用スタッカ23からの出金万円紙幣の繰り出し完了後、第２金種紙幣用スタッカ24から出金に必要な枚数分の出金千円紙幣を第２金種紙幣用通路部28cに１枚ずつ繰り出し、この出金千円紙幣を、第２金種紙幣用通路部28c、第３の分岐手段29cおよび第２の分岐手段29bを経てループ状搬送構造部27に合流させ、ループ状搬送構造部27で図１時計回方向である逆方向に搬送する。
【０１０５】
ループ状搬送構造部27を逆方向に搬送する出金千円紙幣を紙幣識別部25で識別し、識別の結果、正規の出金千円紙幣は、第９の分岐手段29iでループ状搬送構造部27から出金紙幣送出通路部28eに分岐し、出金紙幣送出通路部28eおよび第５の分岐手段29eを経て出金口部15の出金紙幣一時保留部36に収納する。また、識別の結果、識別不能な出金リジェクト紙幣は、第６の分岐手段29fで機内リジェクト紙幣通路部28fに分岐し、この機内リジェクト紙幣通路部28fを経て機内リジェクト紙幣収納部19に収納する。１枚の出金リジェクト紙幣が識別される毎に、その分の出金千円紙幣を第２金種紙幣用スタッカ24から追加して繰り出し、出金に必要な枚数分の出金千円紙幣を出金口部15の出金紙幣一時保留部36に収納する。
【０１０６】
そして、出金に必要な出金紙幣を出金口部15の出金紙幣一時保留部36に収納したら、出金口35のシャッタ37を開き、出金紙幣一時保留部36から出金紙幣を出金口35に繰り出して顧客により取出可能とする。顧客が出金紙幣を取り出したことを検知すれば、シャッタ37を閉じ、出金処理を終了する。
【０１０７】
また、出金口35に繰り出された出金紙幣が顧客により取り出されたか否かを監視し、所定時間経過しても出金紙幣が取り出されない場合には取忘れ紙幣として取忘れ紙幣回収処理をする。この取忘れ紙幣回収処理では、出金口35の取忘れ紙幣を出金口部15内に取り込み、シャッタ37を閉じる。出金口部15に取り込んだ取忘れ紙幣を取忘れ紙幣回収搬送部30および第５の分岐手段29eを経て取忘れ紙幣収納部18へ回収する。
【０１０８】
そして、顧客が紙幣の取忘れを申し出た場合に、取忘れ紙幣収納部18に収納されている取忘れ紙幣を取り出して返却することができる。
【０１０９】
次に、回収処理について説明する。
【０１１０】
係員が係員操作入力部103で回収処理を指令することにより、回収処理を開始する。
【０１１１】
まず、第１金種紙幣用スタッカ23から全ての回収万円紙幣を第１金種紙幣用通路部28bに１枚ずつ繰り出し、この回収万円紙幣を、第１金種紙幣用通路部28b、第３の分岐手段29cおよび第２の分岐手段29bを経てループ状搬送構造部27に合流させ、ループ状搬送構造部27で図１時計回方向である逆方向に搬送する。
【０１１２】
ループ状搬送構造部27を逆方向に搬送する回収万円紙幣を紙幣識別部25で識別し、識別の結果、正規の回収万円紙幣は、第９の分岐手段29iでループ状搬送構造部27から分岐するとともに第１の分岐手段29aで紙幣補充回収通路部28aに分岐し、この紙幣補充回収通路部28aを経て補充回収紙幣収納部20に回収する。
【０１１３】
また、識別の結果、識別不能な回収リジェクト紙幣すなわち機内リジェクト紙幣は、第６の分岐手段29fで機内リジェクト紙幣通路部28fに分岐し、この機内リジェクト紙幣通路部28fを経て機内リジェクト紙幣収納部19に収納する。
【０１１４】
そして、第１金種紙幣用スタッカ23から全ての回収万円紙幣を繰り出し、補充回収紙幣収納部20または機内リジェクト紙幣収納部19に収納したら、続いて、第２金種紙幣用スタッカ24から全ての回収千円紙幣を第２金種紙幣用通路部28cに１枚ずつ繰り出し、この回収千円紙幣を、第２金種紙幣用通路部28c、第３の分岐手段29cおよび第２の分岐手段29bを経てループ状搬送構造部27に合流させ、ループ状搬送構造部27で図１時計回方向である逆方向に搬送する。
【０１１５】
ループ状搬送構造部27を逆方向に搬送する回収千円紙幣を紙幣識別部25で識別し、識別の結果、正規の回収千円紙幣は、第９の分岐手段29iでループ状搬送構造部27から分岐するとともに第１の分岐手段29aで紙幣補充回収通路部28aに分岐し、この紙幣補充回収通路部28aを経て補充回収紙幣収納部20に回収する。
【０１１６】
また、識別の結果、識別不能な回収リジェクト紙幣すなわち機内リジェクト紙幣は、第６の分岐手段29fで機内リジェクト紙幣通路部28fに分岐し、この機内リジェクト紙幣通路部28fを経て機内リジェクト紙幣収納部19に収納する。
【０１１７】
そして、機体11の係員操作面13の扉体を開き、取忘れ紙幣収納部18に回収された取忘れ紙幣、機内リジェクト紙幣収納部19に回収された機内リジェクト紙幣、補充回収紙幣収納部20に回収された万円紙幣および千円紙幣、機外リジェクト紙幣収納部21に回収された機外リジェクト紙幣、入金専用金種紙幣スタッカ22に回収された二千円紙幣および五千円紙幣を、それぞれ取り出して回収できる。
【０１１８】
このとき、機内リジェクト紙幣収納部19は補充回収紙幣収納部20の上部に設けられているとともに、機外リジェクト紙幣収納部21は補充回収紙幣収納部20の下部に設けられていることにより、機外リジェクト紙幣と機内リジェクト紙幣とが混ざり合うことがなく、回収作業性を容易にできる。
【０１１９】
そして、循環式紙幣入出金機では、紙幣搬送路26が正逆搬送可能で、紙幣搬送路26の構造を簡単にできるとともに紙幣搬送路26の長さを短くして搬送時間を短くでき、また、回収専用の回収部を設ける必要がなく、機体11の高さを低くして適切な高さに設定できる。しかも、紙幣の入金処理もでき、入金紙幣を出金紙幣に循環使用できるので、顧客にとっては入金処理と出金処理の両方ができる機械となって使い易さを向上でき、また、係員にとっては出金に使用する紙幣の補充の機会が少なくてすみ、係員の作業を軽減できる。さらに、出金処理に使える紙幣が入金処理に使えるだけでなく、それ以外の金種紙幣の入金も可能とし、入金金種紙幣の種類を広げ、顧客にとっての機械の使い易さを向上できる。
【０１２０】
また、紙幣搬送路26に、紙幣識別部25が設けられるループ状搬送構造部27と、このループ状搬送構造部27からループ外へ延びる外方通路部28群と、ループ状搬送構造部27および各外方通路部28の接続部に設けられる分岐手段29とを有する構成とするので、紙幣搬送路26の構造を簡単にできる。
【０１２１】
さらに、ループ状搬送構造部27に、機体11の前方へ向けて下り傾斜してその途中に紙幣識別部25が配置される前側傾斜搬送部27aと、前側傾斜搬送部27aの下端部に接続されるとともに後方へ延びる下側後方搬送部27bと、さらに上昇搬送部27cおよび上側前方搬送部27dを設けたので、紙幣の識別および分岐の距離を長くとることができ、紙幣の識別および分岐を確実にできる。
【０１２２】
さらに、ループ状搬送構造部27は、紙幣識別部25の設置域ではローラ31群で構成し、紙幣識別部25の設置域以外ではループ方向および搬送幅方向に１本のベルト32とピンチローラ33群とで構成するとともに１本のベルト32とピンチローラ33群は紙幣識別部25の設置域においてループ状搬送構造部27の内側へ迂回して設けたので、ループ状搬送構造部27の構造を簡単にできる。
【０１２３】
なお、第１金種紙幣用スタッカ23は万円紙幣用、第２金種紙幣用スタッカ24は千円紙幣用、入金専用金種紙幣スタッカ22は二千円紙幣および五千円紙幣用としたが、これらに限られるものではなく、任意に設定することができる。
【０１２４】
また、取忘れ紙幣収納部18、機内リジェクト紙幣収納部19、補充回収紙幣収納部20、機外リジェクト紙幣収納部21、入金専用金種紙幣スタッカ22の形態については、機体11の後面側から紙幣を取り出せればよく、機体11から後方へ引き出せないが機体11の後面側に設けられる扉の開放によって紙幣を取り出せる形態、機体11から後方に所定量引き出せる形態、機体11から後方に引き出して取り出せる形態のいずれでもよく、それらの形態を組み合わせてもよい。
【０１２５】
次に、本発明の第２の実施の形態を図３を参照して説明する。
【０１２６】
紙幣処理機として、入金機能を備えない出金専用の紙幣出金機を示す。この紙幣出金機は、上述した図１の循環式紙幣入出金機に対して、入金口部16、入金専用金種紙幣スタッカ22、各分岐手段29g，29hなどを備えないだけで、基本的な構成は同様である。
【０１２７】
ただし、紙幣識別部25は、補充紙幣と出金紙幣の識別のみであることから簡易識別構造が採られている。
【０１２８】
また、紙幣補充回収通路部28aは独立してループ状搬送構造部27に接続され、出金紙幣送出通路部28eと機内リジェクト紙幣通路部28fとのみが共通通路部分を介してループ状搬送構造部27に接続されている。
【０１２９】
次に、紙幣出金機の動作を説明する。
【０１３０】
まず、補充処理では、補充回収紙幣収納部20に装填された出金に利用する万円紙幣および千円紙幣を紙幣補充回収通路部28aに１枚ずつ繰り出し、この補充紙幣をループ状搬送構造部27に合流させ、ループ状搬送構造部27で図３反時計回方向である正方向に搬送する。
【０１３１】
ループ状搬送構造部27を正方向に搬送する補充紙幣を紙幣識別部25で識別し、識別の結果、正規の万円紙幣は第１金種紙幣用通路部28bに分岐して第１金種紙幣用スタッカ23に収納し、正規の千円紙幣は第２金種紙幣用通路部28cに分岐して第２金種紙幣用スタッカ24に収納し、また、識別不能な補充リジェクト紙幣すなわち機外リジェクト紙幣は機外リジェクト紙幣通路部28dに分岐して機外リジェクト紙幣収納部21に収納する。
【０１３２】
次に、出金処理では、千円紙幣と万円紙幣との組合せで出金するもので、出金金額分に必要な千円紙幣および万円紙幣毎の枚数を求める。
【０１３３】
第１金種紙幣用スタッカ23から出金に必要な枚数分の出金万円紙幣を第１金種紙幣用通路部28bに１枚ずつ繰り出し、この出金万円紙幣を、ループ状搬送構造部27に合流させ、ループ状搬送構造部27で図３時計回方向である逆方向に搬送する。
【０１３４】
ループ状搬送構造部27を逆搬送方向に搬送する出金万円紙幣を紙幣識別部25で識別し、識別の結果、正規の出金万円紙幣は、ループ状搬送構造部27から出金紙幣送出通路部28eに分岐し、出金口部15の出金紙幣一時保留部36に収納する。また、識別の結果、識別不能な出金リジェクト紙幣すなわち機内リジェクト紙幣は、機内リジェクト紙幣通路部28fに分岐し、機内リジェクト紙幣収納部19に収納する。１枚の出金リジェクト紙幣が識別される毎に、その分の出金万円紙幣を第１金種紙幣用スタッカ23から追加して繰り出す。
【０１３５】
第１金種紙幣用スタッカ23からの出金万円紙幣の繰り出し完了後、第２金種紙幣用スタッカ24から出金に必要な枚数分の出金千円紙幣を第２金種紙幣用通路部28cに１枚ずつ繰り出し、この出金千円紙幣を、ループ状搬送構造部27に合流させ、ループ状搬送構造部27で図３時計回方向である逆方向に搬送する。
【０１３６】
ループ状搬送構造部27を逆方向に搬送する出金千円紙幣を紙幣識別部25で識別し、識別の結果、正規の出金千円紙幣は、ループ状搬送構造部27から出金紙幣送出通路部28eに分岐し、出金口部15の出金紙幣一時保留部36に収納する。また、識別の結果、識別不能な出金リジェクト紙幣は、機内リジェクト紙幣通路部28fに分岐し、機内リジェクト紙幣収納部19に収納する。１枚の出金リジェクト紙幣が識別される毎に、その分の出金千円紙幣を第２金種紙幣用スタッカ24から追加して繰り出す。
【０１３７】
そして、出金に必要な出金紙幣を出金口部15の出金紙幣一時保留部36に収納したら、出金口35のシャッタ37を開き、出金紙幣一時保留部36から出金紙幣を出金口35に繰り出して顧客により取出可能とする。顧客が出金紙幣を取り出したことを検知すれば、シャッタ37を閉じ、出金処理を終了する。
【０１３８】
また、出金口35に繰り出された出金紙幣が顧客により取り出されたか否かを監視し、所定時間経過しても出金紙幣が取り出されない場合には取忘れ紙幣として取忘れ紙幣回収処理をする。この取忘れ紙幣回収処理では、出金口35の取忘れ紙幣を出金口部15内に取り込み、シャッタ37を閉じる。出金口部15に取り込んだ取忘れ紙幣を取忘れ紙幣回収搬送部30を通じて取忘れ紙幣収納部18へ回収する。
【０１３９】
そして、顧客が紙幣の取忘れを申し出た場合に、取忘れ紙幣収納部18に収納されている取忘れ紙幣を取り出して返却することができる。
【０１４０】
次に、回収処理について説明する。
【０１４１】
回収処理では、まず、第１金種紙幣用スタッカ23から全ての回収万円紙幣を第１金種紙幣用通路部28bに１枚ずつ繰り出し、この回収万円紙幣を、ループ状搬送構造部27に合流させ、ループ状搬送構造部27で図１時計回方向である逆方向に搬送する。
【０１４２】
ループ状搬送構造部27を逆方向に搬送する回収万円紙幣を紙幣識別部25で識別し、識別の結果、正規の回収万円紙幣は、ループ状搬送構造部27から紙幣補充回収通路部28aに分岐し、補充回収紙幣収納部20に回収する。また、識別の結果、識別不能な回収リジェクト紙幣すなわち機内リジェクト紙幣は、ループ状搬送構造部27から機内リジェクト紙幣通路部28fに分岐し、機内リジェクト紙幣収納部19に収納する。
【０１４３】
そして、第１金種紙幣用スタッカ23から全ての回収万円紙幣を繰り出し、補充回収紙幣収納部20または機内リジェクト紙幣収納部21に収納したら、続いて、第２金種紙幣用スタッカ24から全ての回収千円紙幣を第２金種紙幣用通路部28cに１枚ずつ繰り出し、この回収千円紙幣を、ループ状搬送構造部27に合流させ、ループ状搬送構造部27で図１時計回方向である逆方向に搬送する。
【０１４４】
ループ状搬送構造部27を逆方向に搬送する回収千円紙幣を紙幣識別部25で識別し、識別の結果、正規の回収千円紙幣は、ループ状搬送構造部27から紙幣補充回収通路部28aに分岐し、補充回収紙幣収納部20に回収する。また、識別の結果、識別不能な回収リジェクト紙幣すなわち機内リジェクト紙幣は、ループ状搬送構造部27から機内リジェクト紙幣通路部28fに分岐し、機内リジェクト紙幣収納部19に収納する。
【０１４５】
そして、機体11の係員操作面13の扉体を開き、取忘れ紙幣収納部18に回収された取忘れ紙幣、機内リジェクト紙幣収納部19に回収された機内リジェクト紙幣、補充回収紙幣収納部20に回収された万円紙幣および千円紙幣、機外リジェクト紙幣収納部21に回収された機外リジェクト紙幣を、それぞれ取り出して回収できる。
【０１４６】
なお、紙幣処理機としては、紙幣の出金のみを行う紙幣出金機、紙幣の入金と出金の両方を行う紙幣入出金機、入金紙幣を出金紙幣に循環使用する循環式紙幣入出金機のいずれにも適用できる。
【０１４７】
また、入金機能を有する場合でも、二千円紙幣および五千円紙幣は入金紙幣として受け付けないようにしてもよい。
【０１４８】
また、顧客用操作口部17に出金口部機能と出金口部機能との両方を備える場合には、出金口部機能と出金口部機能とを有する共通の操作口部であってもよい。
【図面の簡単な説明】
【０１４９】
【図１】本発明の第１の実施の形態を示す紙幣処理機の断面図である。
【図２】同上紙幣処理機のブロック図である。
【図３】本発明の第２の実施の形態を示す紙幣処理機の断面図である。
【符号の説明】
【０１５０】
11    機体
17    顧客用操作口部
18    取忘れ紙幣収納部
19    機内リジェクト紙幣収納部
20    補充回収紙幣収納部
21    機外リジェクト紙幣収納部
22    入金専用金種紙幣スタッカ
23    第１金種紙幣用スタッカ
24    第２金種紙幣用スタッカ
25    紙幣識別部
26    紙幣搬送路
26a   紙幣補充回収搬送路
26b   出金搬送路
26c   入金搬送路
26d   共通搬送域
27    ループ状搬送構造部
27a   前側傾斜搬送部
27b   下側後方搬送部
27c   上昇搬送部
27d   上側前方搬送部
28    外方通路部
28a   紙幣補充回収通路部
28b   第１金種紙幣用通路部
28c   第２金種紙幣用通路部
28d   機外リジェクト紙幣通路部
28e   出金紙幣送出通路部
28f   機内リジェクト紙幣通路部
28g   入金専用金種紙幣通路部
28h   入金紙幣通路部
29    分岐手段
30    取忘れ紙幣回収搬送部
31    ローラ
32    ベルト
33    ピンチローラ
101   制御部
【図１】
2007004639.tif 000003
【図２】
2007004639.tif 000004
【図３】
2007004639.tif 000005